(57)【要約】【課題】  詰まった鉛筆の芯を安全かつ容易に除去することができる鉛筆削りを提供する。【解決手段】鉛筆Ｐを削るカッター３を回転可能に保持するカッターホルダー４と、カッターホルダー４を回転駆動し、カッター３を鉛筆の周りで回転させるモーター５と、モーター５の回転をカッターホルダー４に伝達する複数のギア６０を有する回転伝達機構６と、カッターホルダー４の下方に配置され、鉛筆Ｐの削りカスを収容可能な容器７と、モーター５の下方を覆う第１の下方カバー２１と、容器７及び回転伝達機構６の下方を覆う第２の下方カバー２２と、を備える鉛筆削り１を提供する。【選択図】図３
2013226749.tif 000002
【特許請求の範囲】
【請求項１】
鉛筆を削るカッターを回転可能に保持するカッターホルダーと、
前記カッターホルダーを回転駆動し、前記カッターを鉛筆の周りで回転させるモーターと、
前記モーターの回転を前記カッターホルダーに伝達する複数のギアを有する回転伝達機構と、
カッターホルダーの下方に配置され、鉛筆の削りカスを収容可能な容器と、
前記モーターの下方を覆う第１の下方カバーと、
前記容器及び前記回転伝達機構の下方を覆う第２の下方カバーと、を備える鉛筆削り。
【請求項２】
前記複数のギアは、ギアカバーにより覆われており、
前記ギアカバーには、前記ギアが露出する操作開口部が形成されている、請求項１に記載の鉛筆削り。
【請求項３】
前記複数のギアのうちで直径が最も大きい最大ギアが前記操作開口部から露出する請求項２に記載の鉛筆削り。
【発明の詳細な説明】
【技術分野】
【０００１】
本発明は、鉛筆を削るための電動鉛筆削りに関する。
【背景技術】
【０００２】
従来から、鉛筆を削るための電動の鉛筆削りが一般的に知られており、例えば、特許文献１に記載の鉛筆削りが公知になっている。
【０００３】
図１３は、従来の鉛筆削りの断面図である。図１３に示すように、従来の鉛筆削り１００は、鉛筆Ｐを削るカッター１０１を回転可能に保持するカッターホルダー１０２と、カッターホルダー１０２を回転駆動し、カッター１０１を鉛筆Ｐの周りで回転させるモーター１０３と、モーター１０３の回転をカッターホルダー１０２に伝達する複数のギアを有する回転伝達機構１０４と、カッターホルダー１０２の下方に配置され、鉛筆Ｐの削りカスを収容可能な容器１０５と、を備えており、カッター１０１、カッターホルダー１０２、モーター１０３、回転伝達機構１０４および容器１０５は、ケーシング１０６内に収容されている。
【先行技術文献】
【特許文献】
【０００４】
【特許文献１】特開２００７‐２０３６５６号公報
【発明の概要】
【発明が解決しようとする課題】
【０００５】
上記のような鉛筆削り１００では、鉛筆を削ったときに、鉛筆の芯が折れて、この芯がカッター１０１とカッターホルダー１０２との間に詰まってしまうことがある。このような場合、従来の鉛筆削り１００で詰まった鉛筆の芯を取り除くためには、カッター１０１及びカッターホルダー１０２をケーシング１０６から取り出してから芯の除去作業をしなければならなかった。したがって、鉛筆の芯を取り除くのに手間がかかっていた。また、カッター１０１及びカッターホルダー１０２をケーシング１０６から取り出さない場合は、ケーシング１０６の中に手を入れて、詰まった芯を除去しなければならなかった。したがって、狭い空間に手を入れて除去作業をするので、芯を取り除くのが難しいという問題があった。また、詰まった芯がカッター１０１の裏側に隠れてしまうことがあり、このような場合には、芯を取り除くことができないという問題があった。また、カッター１０１とカッターホルダー１０２の隙間に指を挟んでしまうこともあった。
【０００６】
本発明は、上記問題を解決するためになされたものであって、詰まった鉛筆の芯を安全かつ容易に除去することができる鉛筆削りの提供を目的とする。
【課題を解決するための手段】
【０００７】
本発明は、上記課題を解決するための鉛筆削りであって、鉛筆を削るカッターを回転可能に保持するカッターホルダーと、前記カッターホルダーを回転駆動し、前記カッターを鉛筆の周りで回転させるモーターと、前記モーターの回転を前記カッターホルダーに伝達する複数のギアを有する回転伝達機構と、カッターホルダーの下方に配置され、鉛筆の削りカスを収容可能な容器と、前記モーターの下方を覆う第１の下方カバーと、前記容器及び前記回転伝達機構の下方を覆う第２の下方カバーと、を備えている。
【０００８】
このような構成によれば、第１の下方カバー及び第２の下方カバーを備えているので、第１の下方カバーによってモーターを覆った状態のまま、第２の下方カバーを取り外すことにより、カッター、カッターホルダーおよび回転伝達機構の下方を開放することができる。これにより、カッター及びカッターホルダーが露出するので、鉛筆の芯を除去し易くなる。また、除去作業のためのスペースを広くすることができるので、安全に除去作業を行うことができる。また、カッターの位置により鉛筆の芯がカッターホルダーに隠れているときは、回転伝達機構のギアを操作することにより、カッターを回転させてその位置を変え、隠れていた芯を取り出すことができる。したがって、芯を容易に取り除くことができる。また、第１の下方カバーによりモーターを覆っているので、モーターを保護することができ、安全に作業を行うことができる。したがって、本発明によれば、詰まった鉛筆の芯を安全かつ容易に除去することができる。
【０００９】
また、上記の鉛筆削りにおいて、前記複数のギアは、ギアカバーにより覆われており、前記ギアカバーには、前記ギアが露出する操作開口部が形成されていることが好ましい。
【００１０】
また。前記複数のギアのうちで直径が最も大きい最大ギアが前記操作開口部から露出することが好ましい。
【発明の効果】
【００１１】
本発明の鉛筆削りによれば、詰まった鉛筆の芯を安全かつ容易に除去することができる。
【図面の簡単な説明】
【００１２】
【図１】本発明の一実施形態に係る鉛筆削りの斜視図である。
【図２】鉛筆削りを斜め下方から視た斜視図である。
【図３】鉛筆削りを斜め下方から視た分解斜視図である。
【図４】鉛筆削りを後ろ斜め上方から視た分解斜視図である。
【図５】カッター及びカッターホルダーの斜視図である。
【図６】ケーシングの内部の斜視図である。
【図７】回転伝達機構の斜視図である。
【図８】ケーシングの内部の構成要素を省略した鉛筆削りの分解斜視図である。
【図９】図１のＡ−Ａ断面を模式的に示す断面図である。
【図１０】鉛筆削りを斜め下方から視た分解斜視図である。
【図１１】他の実施形態に係る鉛筆削りの図面である。
【図１２】更に他の実施形態に係る鉛筆削りの図面である。
【図１３】従来の鉛筆削りの断面図である。
【発明を実施するための形態】
【００１３】
以下、本発明の実施形態について添付図面を参照して説明する。図１は、本発明の一実施形態に係る鉛筆削りの斜視図であり、図２は、鉛筆削りを斜め下方から視た斜視図であり、図３は、鉛筆削りを斜め下方から視た分解斜視図であり、図４は、鉛筆削りを後ろ斜め上方から視た分解斜視図である。また、図５は、カッター及びカッターホルダーの斜視図であり、図６は、ケーシングの内部の斜視図であり、図７は、回転伝達機構の斜視図であり、図８は、ケーシングの内部の構成要素を省略した鉛筆削りの分解斜視図であり、図９は、図１のＡ−Ａ断面を模式的に示す断面図である。
【００１４】
本実施形態に係る鉛筆削り１は、図１〜図９に示すように、ケーシング２内に配置されたカッター３、カッターホルダー４、モーター５、回転伝達機構６、及び、容器７を備えている。カッターホルダー４、モーター５、及び、回転伝達機構６は、それぞれ隣接して配置されており、容器７は、カッターホルダー４の下方に配置されており、カッター３は、カッターホルダー４に保持されている。カッター３、カッターホルダー４、モーター５、回転伝達機構６、及び、容器７については、従来から公知の電動鉛筆削りにおける構成を用いることができる。例えば、本実施形態では、以下に説明する構成を用いている。
【００１５】
カッター３は、円筒状の金属の表面に螺旋状の切削刃が形成された構成であり、回転することにより鉛筆Ｐを削ることができる。また、カッター３は、カッターホルダー４に斜めに保持され、鉛筆Ｐに対して斜めに当接する。
【００１６】
カッターホルダー４は、後述するケーシング２の鉛筆挿入孔２３に対応する位置に配置されており、鉛筆挿入孔２３に挿入された鉛筆Ｐがカッターホルダー４内に案内される。また、カッターホルダー４は、ケーシング２内において、挿入された鉛筆Ｐの軸方向を回転中心として回転可能に支持されており、回転伝達機構６を介してモーター５に接続され、モーター５により回転する。また、カッターホルダー４が回転すると、カッターホルダー４に保持されたカッター３が、挿入された鉛筆Ｐの軸方向を公転中心として公転（遊星回転）する。また、カッターホルダー４は、カッター３を回転自在に支持すると共に、ギア（図示せず）を介してカッター３に接続されており、カッターホルダー４が回転することにより、前記ギアを介してカッターホルダー４の回転がカッター３に伝達され、カッター３が自転するように構成されている。したがって、カッターホルダー４が回転すると、カッター３が鉛筆Ｐの周りを公転すると同時に、カッター３が自転して、鉛筆Ｐを削るように構成されている。
【００１７】
また、カッターホルダー４は、ホルダーカバー４０により覆われている。ホルダーカバー４０は、下方に向かって開口した湾曲部材からなり、カッターホルダー４の周囲を取り囲んでいる。また、カッターホルダー４の下方は開放されており、カッター３により削られた鉛筆Ｐの削りカスが下方の容器７に落下する。
【００１８】
モーター５は、通電により回転する公知の電動モーターであり、回転伝達機構６を介してカッターホルダー４に接続されており、カッターホルダー４を回転駆動する。また、モーター５は、モーターカバーにより全体が覆われており、モーター５の周囲には、モーター５に電気を供給するための配線や電子部品を搭載した基板など（いずれも図示せず）が配置されている。
【００１９】
回転伝達機構６は、大小の複数のギア（歯車）６０、６０・・・を備えており、ギア６０が互いに噛み合いながら回転することにより動力を伝達する公知の機構である。この回転伝達機構６は、モーター５及びカッターホルダー４に接続されており、モーター５の回転動力をカッターホルダー４に伝達する。
【００２０】
複数のギア（歯車）６０、６０・・・は、ギアカバー６２により全体が覆われている。ギアカバー６２は、円筒型の部材が組み合わされることにより形成され、ギア６０の周縁を取り囲んでいる。ギアカバー６２は、ギアを保護すると共に、ギア６０に塗られた潤滑油が周囲に飛散するのを防止するために設けられている。ギアカバー６２の下部には、操作開口部６３が形成されており、操作開口部６３においてギア６０が外部に露出するように構成されている。これにより、操作開口部６３を通してギア６０を操作できる。この操作開口部６３は、ギアカバー６２の周方向に沿って開口している。また、ギアカバー６２には、操作開口部６３を覆う開口部用カバー６４が着脱自在に固定されており、開口部用カバー６４を脱着することにより、操作開口部６３を開閉することができる。この開口部用カバー６４は、ギアカバー６２に取り付けられた状態ではギア６０の下側をおおい、ギアカバー６２から取り外された状態では、ギア６０の下側が開放される。ギアカバー６２と開口部用カバー６４とを着脱自在に固定する方法は特に限定されないが、例えば、ネジにより固定することができる。また、ラッチ機構や樹脂バネ等により固定することもできる。また、粘着剤により着脱できる構成であってもよい。また、ギアカバー６２にスライド用の溝を形成し、この溝に沿って開口部用カバー６４をスライドさせることにより着脱する構成であってもよい。
【００２１】
容器７は、上方に向かって開口する箱形に形成されており、カッターホルダー４及びカッター３の下方に配置され、カッター３によって削られた鉛筆Ｐの削りカスを内部に収容することができる。また、容器７は、上方カバー２０の容器出入部２４を通して、ケーシング２内に挿入し、或いは、ケーシング２から取り出すことができる。
【００２２】
ケーシング２は、上方カバー２０、第１の下方カバー２１、及び、第２の下方カバー２２を備えており、上記の各部材（カッター３、カッターホルダー４、モーター５、回転伝達機構６、及び、容器７）を内部に収容している。
【００２３】
上方カバー２０は、下方に向かって開口するように形成されており、上記の部材（カッター３、カッターホルダー４、モーター５、回転伝達機構６、及び、容器７）の全体を上方から覆い、これらの周囲を取り囲むように配置されている。上方カバー２０の前面上部には、鉛筆Ｐを挿入するための円形の鉛筆挿入孔２３が形成されており、鉛筆挿入孔２３からケーシング２の内部に向けて鉛筆Ｐを挿入することができる。また、上方カバー２０の前面下部には、容器７を出し入れするための容器出入部２４が形成されており、容器出入部２４から容器７をケーシング２内に入れ、また、ケーシング２外に出すことができる。この容器出入部２４は、上方カバー２０の前面下部を四角形に切り欠くことにより形成されている。
【００２４】
第１の下方カバー２１は、板状に形成されており、モーター５の下方に配置され、モーター５の下方を覆っている。また、第１の下方カバー２１は、モーター５を下から覆うと共に、モーター５に電気を供給するための配線や電子部品を搭載した基板なども下から覆って保護している。また、第１の下方カバー２１は、カッター３、カッターホルダー４、回転伝達機構６、及び、容器７の下方には配置されておらず、これらの下方を覆わずに、下方が開放されるように配置されている。また、第１の下方カバー２１は、上方カバー２０の下部に固定されている。第１の下方カバー２１と上方カバー２０との固定方法は特に限定されないが、例えば、ネジにより固定することができる。また、第１の下方カバー２１と上方カバー２０とを一体的に成型することにより固定することもできる。
【００２５】
第２の下方カバー２２は、板状に形成されており、カッター３、カッターホルダー４、回転伝達機構６、及び、容器７の下方に配置され、これらの下方を覆っている。また、第２の下方カバー２２は、上方カバー２０の下部に着脱自在に固定されており、上方カバー２０の下部に取り付けることによりカッター３、カッターホルダー４、回転伝達機構６、及び、容器７の下側を覆うことができ、一方、上方カバー２０の下部から取り外すことによりカッター３、カッターホルダー４、回転伝達機構６、及び、容器７の下側を外部に開放することができる。第２の下方カバー２２と上方カバー２０との固定方法は特に限定されないが、例えば、ネジにより固定することができる。また、ラッチ機構や樹脂バネ等により固定することもできる。また、上方カバー２０に溝を形成し、この溝に沿って第２の下方カバー２２をスライドさせることにより、第２の下方カバー２２と上方カバー２０とを着脱自在に固定する構成であってもよい。また、第２の下方カバー２２の内側には、除去金具８が着脱自在に取り付けられている。
【００２６】
また、第１の下方カバー２１及び第２の下方カバー２２は、ケーシング２の底部を構成しており、鉛筆削り１は、第１の下方カバー２１及び第２の下方カバー２２を下に向けた状態で台（例えば、机など）に置くことができる。
【００２７】
除去金具８は、手で把持可能な把持部８０と、把持部８０から長細く延びる先端部８１とを備えている。この除去金具８は、例えば、金属の線材を加工することにより形成することができる。このような除去金具８によれば、把持部８０を把持して先端部８１をカッターホルダー４の隙間に挿入し、カッター３に詰まった鉛筆Ｐの芯を先端部８１でかき出すことができる。
【００２８】
上記のような構成を備える鉛筆削り１により鉛筆Ｐを削るときは、鉛筆Ｐが鉛筆挿入孔２３に挿入され、カッター３に当接した状態で、モーター５が回転することにより、カッターホルダー４及びカッター３が回転し、カッター３の回転により鉛筆Ｐが削られる。モーター５の回転は、鉛筆Ｐが挿入されたときに自動的に回転する構成であっても、手動でスイッチを入力することにより回転する構成であってもよい。
【００２９】
また、鉛筆Ｐを削ったときに、鉛筆Ｐの芯が折れて、カッター３やカッターホルダー４の隙間に詰まることがある。この場合は、ケーシング２から容器７を取り出すと共に、第２の下方カバー２２を上方カバー２０から取り外すことにより、カッター３、カッターホルダー４及び回転伝達機構６の下方を開放する（第２の下方カバー２２を取り外すために鉛筆削り１の上下を反転させて第２の下方カバー２２を上に向けていた場合は、第２の下方カバー２２を取り外すことによりカッター３、カッターホルダー４及び回転伝達機構６の上方が開放されることになる。）。そして、カッター３及びカッターホルダー４の下方（鉛筆削り１の上下を反転させていた場合は上方）を開放した状態で、カッター３やカッターホルダー４の隙間に詰まった鉛筆Ｐの芯を取り除く。また、図１０に示すように、カッター３の位置によっては、カッター３がカッターホルダー４の裏側に隠れることにより、鉛筆Ｐの芯がカッターホルダー４により隠れてしまい、鉛筆Ｐの芯を取り除くことができない場合がある。この場合は、回転伝達機構６のギア６０を手で操作して回転させることにより、カッター３を回転させる。これにより、カッター３の位置が変わるので、隠れていた鉛筆Ｐの芯が現われる。そして、鉛筆Ｐの芯が現われた状態で、カッター３とカッターホルダー４との隙間に詰まった鉛筆Ｐの芯を取り除く。なお、回転伝達機構６のギア６０を操作するときは、ギアカバー６２の開口部用カバー６４を取り外し、操作開口部６３を介してギア６０を操作する。また、鉛筆Ｐの芯を取り除くときは、除去金具８を用いて取り除くことができる。
【００３０】
以上のような鉛筆削り１によれば、第１の下方カバー２１及び第２の下方カバー２２を備えているので、第１の下方カバー２１によってモーター５を覆った状態のまま、第２の下方カバー２２を取り外すことにより、カッター３、カッターホルダー４および回転伝達機構６の下方を開放することができる。これにより、カッター３及びカッターホルダー４が露出するので、鉛筆Ｐの芯を除去しやすくなる。また、除去作業のためのスペースを広くすることができるので、安全に除去作業を行うことができる。また、カッター３の位置により鉛筆Ｐの芯がカッターホルダー４に隠れているときは、回転伝達機構６のギア６０を操作することにより、カッター３を回転させてその位置を変え、隠れていた芯を取り出すことができる。したがって、芯を容易に取り除くことができる。また、第１の下方カバー２１によりモーター５を覆っているので、モーター５を保護することにより、電気部品の安全性を保つことができ、安全に除去作業を行うことができる。したがって、本発明によれば、詰まった鉛筆Ｐの芯を安全かつ容易に除去することができる。
【００３１】
また、回転伝達機構６のギア６０をギアカバー６２で覆うことによりギア６０に塗布された潤滑油が周囲に飛散するのを防ぐことができる。一方、ギア６０を操作するときは、ギアカバー６２に形成された操作開口部６３を介して操作を行うことができる。よって、清潔な状態で安全かつ容易に芯の除去作業を行うことができる。
【００３２】
以上、本発明の一実施形態について説明したが、本発明の具体的な態様は、上記実施形態に限定されるものではない。
【００３３】
例えば、上記実施形態では、操作開口部６３が開口部用カバー６４により覆われていたが、この構成に限定されるものではなく、開口部用カバー６４を省略することもできる。
【００３４】
また、上記実施形態では、回転伝達機構６のギア６０がギアカバー６２により覆われていたが、この構成に限定されるものではなく、ギアカバー６２を省略することもできる。このような構成によれば、第２の下方カバー２２を取り外すことにより、すぐに回転伝達機構６のギア６０を操作することができる。
【００３５】
また、回転伝達機構６は、複数のギア６０、６０・・のうちで直径が最も大きい最大ギアを操作できるように構成されていることが好ましい。具体的には、回転伝達機構６は、直径の異なる複数のギア６０、６０・・を備えており、直径が最も大きい最大ギアが最も下方に位置し、開口部用カバー６４を取り外したときに最大ギアが操作開口部６３から外部に露出することが好ましい。このような構成によれは、鉛筆Ｐの芯を取り除くときに、直径の大きなギアを操作することができるので、小さな力を加えるだけでギア６０を回転させることができる。これにより、鉛筆Ｐの芯を容易に取り除くことができる。
【００３６】
また、上記実施形態では、第２の下方カバー２２は、上方カバー２０に着脱する構成であったが、この構成に限定されるものではない。例えば、第２の下方カバー２２は、蝶番により上方カバー２０に固定されており、開閉できる構成であってもよい。このような構成によっても、蝶番を介して第２の下方カバー２２を開状態にすることにより、カッター３、カッターホルダー４、回転伝達機構６及び容器７の下方を開放することができる。
【００３７】
また、上記実施形態では、第２の下方カバー２２は、第１の下方カバー２１を覆っていなかったが、この構成に限定されるものではなく、第２の下方カバー２２が第１の下方カバー２１の下側を覆う構成であってもよい。このような構成では、第２の下方カバー２２がケーシング２の底部を構成することになる。
【００３８】
また、上記実施形態では、第２の下方カバー２２は１つの部材であったが、この構成に限定されるものではない。例えば、第２の下方カバー２２は、２つに分割されており、カッター３、カッターホルダー４及び容器７の下方を覆う部材と、回転伝達機構６の下方を覆う部材とを備えていてもよい。
【００３９】
また、上方カバー２０、第１の下方カバー２１、及び、第２の下方カバー２２の具体的な構成は、上記実施形態に限定されるものではなく、様々な形態を用いることができる。図１１は、他の実施形態に係る鉛筆削りの図面であり、（ａ）は、ケーシングの内部の斜視図であり、（ｂ）は、鉛筆削りを斜め下方から視た分解斜視図であり、（ｃ）は、鉛筆削りの下面図であり、（ｄ）は、回転伝達機構の側面図である。図１１に示す実施形態では、第１の下方カバー２１がケーシング２の底部を構成し、この第１の下方カバー２１の中央に開口部２６が形成され、この開口部２６に第２の下方カバー２２が配置されている。このような構成によっても、モーターの下方を第１の下方カバー２１により覆い、容器及び回転伝達機構の下方を第２の下方カバー２２により覆うことができる。また、開口部２６により、カッター、カッターホルダー、回転伝達機構、及び、容器の下方が開放される。
【００４０】
また、図１２は、更に他の実施形態に係る鉛筆削りの図面であり、（ａ）は、鉛筆削りを斜め下方から視た斜視図であり、（ｂ）は、第１の下方カバーの斜視図であり、（ｃ）は、第１の下方カバー及び第２の下方カバーの斜視図であり、（ｄ）は、鉛筆削りを斜め下方から視た分解斜視図である。図１２に示す実施形態も図１１と同様に、第１の下方カバー２１がケーシング２の底部を構成し、この第１の下方カバー２１の中央に開口部２７が形成され、この開口部２７に第２の下方カバー２２が配置されている。また、開口部２７により、カッター、カッターホルダー、回転伝達機構、及び、容器の下方が開放される。
【符号の説明】
【００４１】
１    鉛筆削り
２    ケーシング
３    カッター
４    カッターホルダー
５    モーター
６    回転伝達機構
７    容器
８    除去金具
２０    上方カバー
２１    第１の下方カバー
２２    第２の下方カバー
２３    鉛筆挿入孔
２４    容器出入部
４０    ホルダーカバー
６０    ギア
６２    ギアカバー
６３    操作開口部
６４    開口部用カバー
【図５】
2013226749.tif 000003
【図９】
2013226749.tif 000004
【図１３】
2013226749.tif 000005
【図１】
2013226749.tif 000006
【図２】
2013226749.tif 000007
【図３】
2013226749.tif 000008
【図４】
2013226749.tif 000009
【図６】
2013226749.tif 000010
【図７】
2013226749.tif 000011
【図８】
2013226749.tif 000012
【図１０】
2013226749.tif 000013
【図１１】
2013226749.tif 000014
【図１２】
2013226749.tif 000015